(57)【要約】【課題】社寺に用いられる瓦への記名を容易に行うシステムを提供する。【解決手段】瓦記名システム１は瓦９に印刷を行う印刷装置１２を備え、印刷装置１２は、寄進者の名前を示す名前データ６１を受け付ける名前受付部６、名前データ６１から各瓦９に対する版下データ７１１を生成する版下データ生成部７１、インクジェット方式のヘッド部３、並びに、ヘッド部３を瓦９に対して相対的に移動するヘッド移動機構４および瓦搬送機構２を有する。瓦９に記名を行う際には、受け付けられた名前データ６１が版下データ生成部７１に入力され、版下データ７１１が生成される。そして、ヘッド部３並びにヘッド移動機構４および瓦搬送機構２が版下データ７１１に基づいて制御され、瓦９上に寄進者の名前が印刷される。これにより、瓦記名システム１では、瓦９への記名を容易に行うことができる。【選択図】図２
2005145026.tif 000002
【特許請求の範囲】
【請求項１】
社寺に用いられる瓦に記名を行う瓦記名システムであって、
寄進者の名前を示す名前データを受け付ける名前受付手段と、
前記名前データから各瓦に対する版下データを生成する版下データ生成手段と、
前記版下データに基づいて寄進者の名前を瓦に印刷する手段と、
を備えることを特徴とする瓦記名システム。
【請求項２】
請求項１に記載の瓦記名システムであって、
前記名前受付手段により複数の名前データが受け付けられ、
前記印刷する手段が、２以上の寄進者の名前を１つの瓦に印刷することを特徴とする瓦記名システム。
【請求項３】
請求項２に記載の瓦記名システムであって、
前記複数の名前データのそれぞれに寄進者の分類を示す分類コードが付与されており、
前記版下データ生成手段が、前記分類コードを参照して前記複数の名前データを分類し、同一分類に属す前記２以上の寄進者の名前を含む前記版下データを生成することを特徴とする瓦記名システム。
【請求項４】
請求項１ないし３のいずれかに記載の瓦記名システムであって、
寄進者の名前が印刷された瓦を撮像し、前記瓦の画像データを取得する撮像部と、
前記画像データを前記寄進者の名前に関連づけて記憶する記憶部と、
をさらに備えることを特徴とする瓦記名システム。
【請求項５】
請求項４に記載の瓦記名システムであって、
端末との間で通信網を介して情報の受け渡しを行う通信部と、
前記端末からの要求信号に従って、特定の寄進者の名前に関連付けられた画像データを前記記憶部から読み出して前記端末へと送出する画像送出手段と、
をさらに備えることを特徴とする瓦記名システム。
【発明の詳細な説明】
【技術分野】
【０００１】
本発明は、社寺に用いられる瓦に記名を行う瓦記名システムに関する。
【背景技術】
【０００２】
従来より、多くの寺院では仏をまつる建物（仏堂）を新築したり、修復する際に信者からお布施を募り、寄進者の名前をその建物に用いられる瓦に書き写す（すなわち、記名する）ことが行われており、瓦への記名は作業者により手書きにて行われている。
【０００３】
なお、特許文献１では、建築物の屋根の形状等に応じて瓦の最適な配列およびプレカット材加工情報が求められ、プレカット材加工情報に基づいて切断されたプレカット材に識別マークを印刷することにより、現場において瓦を手際よく据え付けることを実現する手法が開示されている。
【特許文献１】特開２００３−１２７０９２号公報
【発明の開示】
【発明が解決しようとする課題】
【０００４】
ところが、寺院等に用いられる大量の瓦に記名する際には、多くの作業者が必要となり、また、手書きにて書き写されるため、長時間を要するとともに書き間違い等も生じてしまう。
【０００５】
本発明は上記課題に鑑みなされたものであり、瓦への記名を容易に行う技術を提供することを目的としている。
【課題を解決するための手段】
【０００６】
請求項１に記載の発明は、社寺に用いられる瓦に記名を行う瓦記名システムであって、寄進者の名前を示す名前データを受け付ける名前受付手段と、前記名前データから各瓦に対する版下データを生成する版下データ生成手段と、前記版下データに基づいて寄進者の名前を瓦に印刷する手段とを備える。
【０００７】
請求項２に記載の発明は、請求項１に記載の瓦記名システムであって、前記名前受付手段により複数の名前データが受け付けられ、前記印刷する手段が、２以上の寄進者の名前を１つの瓦に印刷する。
【０００８】
請求項３に記載の発明は、請求項２に記載の瓦記名システムであって、前記複数の名前データのそれぞれに寄進者の分類を示す分類コードが付与されており、前記版下データ生成手段が、前記分類コードを参照して前記複数の名前データを分類し、同一分類に属す前記２以上の寄進者の名前を含む前記版下データを生成する。
【０００９】
請求項４に記載の発明は、請求項１ないし３のいずれかに記載の瓦記名システムであって、寄進者の名前が印刷された瓦を撮像し、前記瓦の画像データを取得する撮像部と、前記画像データを前記寄進者の名前に関連づけて記憶する記憶部とをさらに備える。
【００１０】
請求項５に記載の発明は、請求項４に記載の瓦記名システムであって、端末との間で通信網を介して情報の受け渡しを行う通信部と、前記端末からの要求信号に従って、特定の寄進者の名前に関連付けられた画像データを前記記憶部から読み出して前記端末へと送出する画像送出手段とをさらに備える。
【発明の効果】
【００１１】
請求項１ないし５の発明では、瓦への記名を容易に行うことができる。
【００１２】
また、請求項３の発明では、２以上の寄進者の名前を分類に応じて１つの瓦に印刷することができる。
【００１３】
また、請求項５の発明では、端末から通信網を介して記名後の瓦の画像を閲覧することができる。
【発明を実施するための最良の形態】
【００１４】
図１はインターネット等の通信網８に接続されたサーバ側のコンピュータ（以下、「サーバ」という。）１１、および、家庭や会社等に配置されたクライアントとなるコンピュータ（以下、「クライアント」という。）８１を示す図である。サーバ１１およびクライアント８１のそれぞれは、各種演算処理を行うＣＰＵや各種情報を記憶するメモリ等により構成された一般的なコンピュータである。図１に示すように、サーバ１１は瓦に印刷を行う印刷装置１２に接続されており、サーバ１１および印刷装置１２により瓦に記名を行う瓦記名システム１が構成される。
【００１５】
瓦記名システム１は、寺院において新たな建物を建築したり既存の建物を修復する際に（例えば、仏堂の建築や修復の際に）、金銭等を寄付する寄進者の氏名、名称あるいは戒名等（以下、「名前」と総称する。）を受け付け、その建物に用いられる瓦に名前を印刷する（すなわち、記名を行う）システムである。瓦記名システム１では、後述するように記名後の瓦の画像データが取得され、必要に応じてサーバ１１からクライアント８１へと画像データが配信されてクライアント８１において瓦の画像が表示可能とされる。
【００１６】
図２は瓦記名システム１の構成を示す図である。前述のように、瓦記名システム１は通信網８に接続されたサーバ１１、および、瓦９（例えば、主面側を向いて見た場合の大きさが４００ｍｍ×５００ｍｍである瓦）の曲面上に印刷を行う印刷装置１２を備え、印刷装置１２は、瓦９を様々な機構にて搬送する瓦搬送機構２、瓦搬送機構２の前半部において瓦９に向けて光硬化性のインク（例えば、カーボンブラックを含む紫外線硬化性のインク）を吐出するヘッド部３、ヘッド部３を図２中のＸ方向およびＹ方向に移動するヘッド移動機構４、瓦搬送機構２の後半部において瓦９上に光を照射するインク硬化部５１、並びに、瓦９を撮像する撮像部５２を有する。なお、図２では、説明の便宜上、他の構成と比較してヘッド部３およびヘッド移動機構４を大きく図示している。
【００１７】
瓦搬送機構２は、ヘッド部３の下方にて瓦９を保持しつつ移動する第１コンベヤ２１、インク硬化部５１および撮像部５２の下方にて瓦９を移動する第２コンベヤ２２、並びに、第１コンベヤ２１から第２コンベヤへと瓦９を移載する移載ロボット２３を有する。第１コンベヤ２１は、曲面である瓦９の表面におよそ倣う所定の曲線に沿って配列された複数のベルトローラ２１１、および、複数のベルトローラ２１１に外接して設けられる１つの環状のベルト２１２を有し、図示省略のモータによりベルトローラ２１１が回転することにより、滑らないようにベルト２１２上に保持された瓦９が所定の曲線に沿って図２中の（＋Ｘ）側へと移動する。移載ロボット２３は、第１コンベヤ２１上において（＋Ｘ）側へと移動した瓦９をメカニカルチャックにて保持しつつ持ち上げて第２コンベヤ２２上へと移載し、第２コンベヤ２２により瓦９が（＋Ｘ）方向へとさらに搬送される。
【００１８】
ヘッド部３は、インクジェット方式のノズル部３１を有し、ノズル部３１にはインクの微小液滴を瓦９に向けて吐出する複数の吐出口がＸ方向に所定のピッチにて配列形成されている。また、ノズル部３１には図示省略のインク供給部が接続されており、インク供給部からノズル部３１にインクが適宜供給される。ノズル部３１の（＋Ｙ）側および（−Ｙ）側の各側面には、紫外線を出射する光源ユニット３２１に接続された補助硬化部３２が取り付けられ、各吐出口に対応する光のスポットを瓦９上に形成する。
【００１９】
ノズル部３１は、瓦９とは反対側において支持部３３に固定されており、支持部３３によりノズル部３１が瓦９に対して進退可能（すなわち、図２中のＺ方向に移動可能）に支持される。また、ノズル部３１の（−Ｘ）側の側面には、ローラ３４がＸ軸に平行な中心軸を中心として回転可能に取り付けられる。ヘッド部３では、ノズル部３１が瓦９上に位置する際にはローラ３４およびノズル部３１の自重によりローラ３４が瓦９の表面に当接する。
【００２０】
ヘッド移動機構４は、ヘッド部３をＹ方向に移動するＹ方向移動機構４１、および、Ｘ方向に微小に移動するＸ方向移動機構４２を有する。Ｙ方向移動機構４１はモータ４１１にボールねじ（図示省略）が接続され、モータ４１１が回転することにより、ヘッド部３がＹ方向に移動する。Ｘ方向移動機構４２もＹ方向移動機構４１と同様の構成となっており、ボールねじに接続されたモータ４２１が微小角度だけ回転することにより、Ｙ方向移動機構４１がＸ方向に微小に移動する。
【００２１】
また、ヘッド部３の下方に位置する瓦９の（−Ｙ）側には、瓦９の表面からおよそ連続する面を形成するローラ待避部４３が設けられる。印刷装置１２では、ヘッド部３がＹ方向移動機構４１により瓦９に対して主走査方向（Ｙ方向）に移動する際にはローラ３４は瓦９の表面上を転がって移動し、瓦９が第１コンベヤ２１により副走査方向（Ｘ方向）に移動する際にはローラ３４はローラ待避部４３上に停止して瓦９上から待避する。
【００２２】
インク硬化部５１は紫外線を出射するランプ５１１を有し、ランプ５１１から出射された光は、第２コンベヤ２２上において下方に位置する瓦９に照射される。また、撮像部５２には、それぞれが光学系を有する２つの撮像デバイス５２１が設けられ、各撮像デバイス５２１によりインク硬化部５１を通過した瓦９が撮像されて瓦９の画像データが取得され、サーバ１１へと出力される。なお、撮像部５２には、１つの撮像デバイス５２１のみが設けられてもよい。
【００２３】
印刷装置１２は、さらに、寄進者の名前を示す名前データ６１を受け付ける名前受付部６、および、名前受付部６から名前データ６１が入力されるとともに印刷装置１２の各構成の制御を担う制御部７を有する。
【００２４】
名前受付部６は、具体的には、各種演算処理を行うＣＰＵや各種情報を記憶するメモリ、固定ディスク等により構成されたコンピュータに、用紙上に描かれた画像を読み取って画像データを取得するスキャナが接続された構成となっている。名前受付部６では、実際に寄進者の名前が記入された（例えば、自己の筆跡にて書かれた）所定のラベル（以下、「瓦記名ラベル」という。）の一部がスキャナにて読み取られ、寄進者が記入した名前（文字のみならず、梵字やロゴが含まれてもよい。）の画像データが取得される。そして、寄進者の名前や他の情報に関連付けられた上で名前データ６１として受け付けられ、名前データ６１の集合である名前データベース６１０が生成されて固定ディスク等に記憶される。
【００２５】
制御部７は、名前受付部６から名前データ６１が入力される版下データ生成部７１、ヘッド部３の制御を行うヘッド制御部７２、および、瓦搬送機構２およびヘッド移動機構４の動作を制御する動作制御部７３を有する。版下データ生成部７１では名前データ６１から各瓦９に対するラスタイメージである版下データ７１１が生成され、後述する印刷処理においてヘッド制御部７２によるヘッド部３のインク吐出制御、並びに、動作制御部７３によるヘッド部３および瓦９の移動制御に利用される。なお、名前受付部６や制御部７には図示省略の表示部および入力部も設けられ、名前データ６１の入力や各種設定がＧＵＩ（Graphical User Interface）により容易に操作可能とされている。
【００２６】
サーバ１１は各種情報を記憶する固定ディスク１１１、ＣＰＵやメモリ等により実現される機能である画像送出部１１２、および、図１のクライアント８１との間で通信網８を介して情報の受け渡しを行う通信部１１３を有する。サーバ１１では、撮像部５２から入力される１つの瓦９に対する２つの画像データが１つの瓦画像データ１１０として取り扱われ、固定ディスク１１１に記憶される。画像送出部１１２は、クライアント８１からの要求信号に応じて瓦画像データ１１０を固定ディスク１１１から読み出し、通信部１１３を介してクライアント８１へと送出する。
【００２７】
図３は、瓦記名システム１による瓦９に記名を行う処理の流れを示す図である。瓦記名システム１では、まず、名前受付部６において全国の寄進者から郵送された瓦記名ラベルがスキャナにより読み取られ、寄進者の名前が記入された所定の部分の画像データが名前データ６１として受け付けられる（ステップＳ１１）。
【００２８】
また、瓦記名ラベルには寄進者が属する末寺である寺院・教会を示す番号が記載されており、この番号はスキャナにより取得された画像データから専用のソフトウェア（いわゆる、ＯＣＲ（Optical Character Reader））を利用してテキストデータとして読み取られ、分類コードとして取得される。さらに、操作者により寄進者の名前（ここでは主に、氏名または名称）が名前受付部６のコンピュータのキーボードやマウスを介して入力され、全ての名前データ６１のそれぞれに寄進者の名前が関連付けられるとともに、寄進者の分類（すなわち、所属する末寺）を示す分類コードが付与される。
【００２９】
名前受付部６では既に生成されている名前データベース６１０が、新たな名前データ６１が受け付けられる毎に順次更新される。名前データベース６１０の更新が完了すると、版下データ生成部７１が分類コードを参照して名前データベース６１０内の名前データ６１を末寺ごとに分類し、同一の末寺に属す複数の寄進者（例えば、１２〜１８人の寄進者）の名前を含む版下データ７１１が各瓦９に対して生成される（ステップＳ１２）。なお、各瓦９に対する版下データ７１１は可能な限り同一の末寺に属す複数の寄進者の名前のみにより構成されるが、１つの瓦９に記名される同一の末寺に属す寄進者の名前の数が一定数以下の場合には、版下データ７１１には異なる末寺に属す寄進者の名前が加えられる。
【００３０】
そして、版下データ７１１に基づいてヘッド部３を瓦９に対して相対的に移動しつつインクが瓦９に向けて順次吐出され、続いて、インク硬化部５１により瓦９上に付着したインクが硬化されることにより、寄進者の名前が瓦９に印刷される（ステップＳ１３）。なお、ステップＳ１３における処理については、瓦記名システム１の全体の処理の説明後に詳述する。
【００３１】
印刷後の瓦９は、第２コンベヤ２２により撮像部５２の下方へと移動し、撮像部５２により名前が記名された瓦９が撮像されて瓦の画像データが取得される（ステップＳ１４）。瓦の画像データはサーバ１１に出力され、その瓦９に記名された複数の寄進者のそれぞれの名前に関連付けて瓦画像データ１１０として固定ディスク１１１に記憶される。瓦９は第２コンベヤ２２により（＋Ｘ）方向へとさらに移動し、第２コンベヤ２２の端部において取り出されて所定のパレット上に載置され、寺院に属する建物の建築や修復に利用される。
【００３２】
瓦画像データ１１０が固定ディスク１１１に記憶されると、例えば、寄進者が端末であるクライアント８１をブラウザを介して操作することにより、自己の名前が記名された瓦９の画像データの配信の要求信号が生成され、クライアント８１から通信網８を介してサーバ１１へと送信されて要求信号が受け付けられる（ステップＳ１５）。
【００３３】
サーバ１１では、画像送出部１１２によりクライアント８１からの要求信号に従って、その寄進者の名前に関連付けられた記名後の瓦９の画像データ（すなわち、瓦画像データ１１０）が固定ディスク１１１から読み出され、通信部１１３を介してクライアント８１へと送出される（ステップＳ１６）。そして、クライアント８１において通信網８を介して瓦画像データ１１０が受信され、寄進者が、自己の名前が自己の筆跡にて記名された瓦９の画像を閲覧することができ、これにより、寄進者は満足感を得ることができる。なお、瓦記名システム１では、瓦画像データ１１０が示す画像が外部の機器（例えば、プリンタ）により印刷され、印刷物が寄進者に郵送されてもよい。
【００３４】
以上のように、瓦記名システム１では、寄進者の名前を示す名前データ６１が受け付けられて各瓦９に対する版下データ７１１が生成され、版下データ７１１に基づいて瓦９に寄進者の名前が記名される。これにより、多くの作業者が手書きにて長時間を要して瓦に記名することが不要になるとともに寄進者の名前の記名漏れ等が防止され、瓦９への記名を容易かつ確実に行うことができる。また、瓦記名システム１では名前受付部６により複数の名前データ６１が受け付けられ、版下データ生成部７１において同一分類に属す２以上の寄進者の名前を含む版下データ７１１が生成されるため、手作業による煩雑な分類作業を行うことなく同一分類に属す２以上の寄進者の名前を１つの瓦９に印刷することができる。
【００３５】
図４は、図３中のステップＳ１３において印刷装置１２が瓦９に印刷を行う動作の流れを示す図である。印刷が行われる際には、まず、操作者が印刷装置１２に備え付けられた移載用バランサ１２１を操作することにより、先端に設けられるメカニカルチャックによりパレット内に収納された瓦９が保持されて第１コンベヤ２１の（−Ｘ）側へと移動し、第１コンベヤ２１上へと載置される（すなわち、第１コンベヤ２１上に瓦９がロードされる）。そして、第１コンベヤ２１により瓦９が（＋Ｘ）側に移動し、瓦９が所定の印刷開始位置にセットされる（ステップＳ２１）。
【００３６】
続いて、補助硬化部３２からの光の出射が開始され（ステップＳ２２）、動作制御部７３およびヘッド制御部７２により主走査におけるヘッド部３の移動制御および吐出制御が行われる（ステップＳ２３）。具体的には、Ｙ方向移動機構４１によりヘッド部３がローラ待避部４３上から（＋Ｙ）方向に移動を開始し、ヘッド部３の主走査方向への往復移動に同期しつつ版下データ７１１に基づいてヘッド部３からのインクの吐出が制御される。
【００３７】
図５は、ヘッド部３を移動しつつインクを吐出する様子を説明するための図であり、ノズル部３１の下部を（−Ｘ）側から（＋Ｘ）方向を向いて見た様子を示す図である。図５に示すように印刷装置１２では、ローラ３４が曲面である瓦９の表面に当接して転がるため、ヘッド部３の吐出口３１１と瓦９との間の距離を（ほぼ）一定に保ってヘッド部３を瓦９に対して（＋Ｙ）方向に移動しつつインクジェット方式にて吐出口３１１からインクの微小液滴が瓦９に向けて順次吐出される。そして、ヘッド部３の進行方向に対して後側（（−Ｙ）側）に位置する補助硬化部３２により、瓦９上に付着したインク９１に光が順次照射され、インク９１が仮硬化する。このとき、補助硬化部３２は吐出口３１１近傍に光を照射しない位置に配置されるため、吐出口３１１近傍のインクが硬化して吐出口３１１が詰まることが防止される。
【００３８】
ヘッド部３が主走査の往路における停止位置（すなわち、瓦９の（＋Ｙ）側の端部）に到達すると、Ｘ方向移動機構４２によりヘッド部３が吐出口３１１のＸ方向に関するピッチの半分の距離だけ（−Ｘ）方向に微小に移動し、続いて、ヘッド部３が（−Ｙ）方向に移動を開始する。なお、Ｘ方向への移動は非常に微小であるため、この移動によりローラ３４と瓦９との間に滑りが生じることはなく、ノズル部３１とローラ３４との間に生じるずれはローラ３４の支持部等のいわゆるあそびに吸収される。
【００３９】
主走査の復路においても同様に、吐出口３１１からインクの微小液滴が瓦９に向けて順次吐出され、瓦９上に吐出されたインク９１に、ヘッド部３の進行方向に対して後側（（＋Ｙ）側）に位置する補助硬化部３２により光が照射される。そして、ヘッド部３が主走査の復路における吐出停止位置まで到達してヘッド部３の吐出制御が停止され、さらに、ローラ待避部４３上まで移動してヘッド部３の主走査方向の移動制御が停止される。続いて、瓦９が第１コンベヤ２１により（＋Ｘ）側に所定の距離だけ副走査し（ステップＳ２４，Ｓ２５）、ヘッド部３の移動制御および吐出制御が繰り返される（ステップＳ２３）。
【００４０】
このように、印刷装置１２では、ヘッド部３の主走査の往路と復路との間にヘッド部３がＸ方向移動機構４２により吐出口３１１のＸ方向のピッチの半分だけ副走査方向に微小に移動し、さらに、ヘッド部３が主走査方向に１往復するごとに瓦９が第１コンベヤ２１により所定の距離だけ副走査方向に移動する。すなわち、第１コンベヤ２１によりヘッド部３が瓦９に対して副走査方向に相対的に移動し、Ｘ方向移動機構４２による副走査方向への移動は補助的に行われる。なお、Ｘ方向移動機構４２による副走査方向へのヘッド部３の移動は、主走査が行われる毎に繰り返されて１枚の瓦９への印刷が終了した時点でＸ方向移動機構４２が最初の状態に戻されてもよく、主走査が行われる毎にＸ方向移動機構４２が元の状態に戻されてもよい。また、印刷装置１２では、ヘッド部３が主走査方向に複数回往復してノズルのピッチ間への吐出が行われ、その後、瓦９が副走査方向に移動してもよい。
【００４１】
以上の動作が繰り返され（ステップＳ２３〜Ｓ２５）、版下データ７１１に対応する瓦９上の全ての領域に対するインクの吐出（および、インク９１の仮硬化）が終了すると（ステップＳ２４）、補助硬化部３２からの光の出射が停止される（ステップＳ２６）。そして、瓦９は第１コンベヤ２１により（＋Ｘ）側へとさらに移動し、移載ロボット２３により第２コンベヤ２２上へと移載される（すなわち、第１コンベヤ２１上から瓦９がアンロードされる）。
【００４２】
第２コンベヤ２２上の瓦９は（＋Ｘ）方向へと搬送され、瓦９がインク硬化部５１を通過する際に常時点灯しているランプ５１１からの光が瓦９に付着したインク９１に照射され（ステップＳ２７）、瓦９上のインク９１が硬化する。すなわち、印刷装置１２では、瓦９上に付着したインク９１は補助硬化部３２により仮硬化した後、インク硬化部５１により本硬化する。なお、印刷装置１２では、ヘッド部３による瓦９上へのインクの吐出および仮硬化と、インク硬化部５１によるインク９１の本硬化とが異なる瓦９に対して並行して行われる。
【００４３】
このようにして、印刷装置１２では寄進者の名前が瓦９上に、例えば、作業者が手書きにて記名する場合の１０倍の処理速度（毎時約４０枚）にて高速に、かつ、３００ｄｐｉ（dot per inch）程度の解像度にて鮮明に印刷することが実現される。
【００４４】
以上のように、印刷装置１２では、ローラ３４を有するヘッド移動機構４によりヘッド部３の吐出口３１１と瓦９との間の距離を一定に保ちつつヘッド部３が瓦９に対して主走査方向に移動し、インクの微小液滴が瓦９上に吐出される。そして、瓦９上に付着した直後のインク９１に補助硬化部３２から光が照射されてインク９１が仮硬化され、その後、インク硬化部５１から光がさらに照射されてインク９１が本硬化する。これにより、印刷装置１２では、インクが滲みやすい特殊な表面処理が施されるとともに曲面を有する瓦９上であっても、インク９１が滲むことなく適切に印刷を行うことができる。また、印刷装置１２では、スクリーン印刷方式のようにフィルムやスクリーン等の廃材が生じることなく印刷を行うことができ、環境への負荷を軽減することができる。
【００４５】
図６は、他の例に係る瓦記名システム１ａを示す図である。図６の瓦記名システム１ａでは、図２に示す２つの印刷装置１２が並列に設けられ、名前受付部６が２つの印刷装置１２の間で共有される。
【００４６】
図６の瓦記名システム１ａでは、１つの名前受付部６から２つの制御部７のそれぞれへと異なる複数の名前データ６１が入力され、２つの印刷装置１２において版下データ７１１がそれぞれ生成されて瓦９上に記名が行われる。そして、各撮像部５２にて記名後の瓦９が撮像され、取得された画像データが１つのサーバ１１に入力されて瓦画像データ１１０として記憶される。これにより、図６の瓦記名システム１ａでは図２の瓦記名システム１の簡単な拡張により、より多くの瓦９に記名を行い、瓦画像データ１１０を取得することが可能となる。
【００４７】
図７は、他の例に係る印刷装置１２ａの一部を示す図である。図７の印刷装置１２ａでは、図２の印刷装置１２と比較して、ローラ３４およびローラ待避部４３が取り除かれ、瓦９の表面の高さを検出する距離検出部３５が設けられるとともに、支持部３３がモータを有する進退機構３３ａとされる点で相違する。他の構成は図２と同様であり同符号を付している。
【００４８】
距離検出部３５は、半導体レーザからのレーザ光を瓦９に向けて出射する発光部、瓦９上のレーザ光のスポットを撮像するカメラ、および、カメラにより取得される画像中のスポットの位置から三角測量によりスポットの高さ（すなわち、インク吐出位置における瓦９の表面の高さ）を求める演算部を有する。なお、距離検出部３５は非接触にて瓦９の表面の高さを測定することができるのであれば他のどのような手法が用いられてもよく、例えば、ズームレンズを備えたカメラのオートフォーカス機能を利用して瓦９の表面の高さが測定されてもよい。
【００４９】
ノズル部３１を主走査しつつインクが吐出される際には、距離検出部３５からの信号に基づいて進退機構３３ａにより吐出口３１１と瓦９の表面との間の距離が一定に調整される。また、図５に示すヘッド部３の場合と同様に吐出直後のインクには補助硬化部３２から光が照射されて仮硬化が順次施される。これにより、印刷装置１２ａでは、ヘッド部３の主走査に応じて、吐出口３１１と瓦９の表面との間の距離が一定に調整されつつインクの吐出および光照射が行われ、瓦９上に寄進者の名前を滲みなく適切に印刷することができる。
【００５０】
以上、本発明の実施の形態について説明してきたが、本発明は上記実施の形態に限定されるものではなく、様々な変形が可能である。
【００５１】
瓦記名システム１では、必ずしもインクジェット方式のヘッド部３により瓦９に印刷が行われる必要はなく、他の手法により瓦９上に寄進者の名前が記名されてもよい。例えば、マスクを介してインクを付与したり、マスクを介してサンドブラストを施すことにより記名が行われてもよい。
【００５２】
マスクの作成方法の一例としては、まず、トレーシングペーパに寄進者の名前が印刷され、トレーシングペーパ上に下側フィルムを被せて感光性樹脂が塗布される。樹脂層上には上側フィルムがさらに重ねられるとともに上側フィルムを下にしてトレーシングペーパ側から紫外線が照射される。続いて、トレーシングペーパおよび下側フィルムを剥離して水で現像することにより、樹脂層のうち光が照射されなかった部分が取り除かれて上側フィルム上にパターンが形成される。上側フィルムのパターン側を瓦上に貼着し、サンドブラスト法を利用して上側フィルムのパターンが存在しない部分を除去することにより瓦上にマスクが形成される。そして、引き続きサンドブラスト法で瓦の表面を削る、または、マスクが形成された瓦上にインクを付与することにより瓦上に寄進者の名前が記名されることとなる。また、さらに他の手法としては、転写紙等を利用して瓦上に記名されてもよい。
【００５３】
名前受付部６では、瓦記名ラベルのうち寄進者の名前を示す部分が専用の文字認識ソフトウェアによりテキストデータとして読み取られ、テキストデータ自体（またはテキストデータから生成された画像データ）が名前データ（正確には名前データ中の瓦に記名される情報の部分）として取り扱われてもよい。また、サーバ１１により通信網８を介してクライアント８１から寄進者の名前を示すテキストデータが取得され、名前データとして受け付けられてもよい。このように、名前データがテキストデータとされる場合には、名前データに間違いが見つかったときでも、名前データを容易に訂正することができる。
【００５４】
また、名前受付部６は必ずしもコンピュータおよびスキャナにより構成される必要はなく、上述のように、サーバ１１によりクライアント８１から名前データが受け付けられる場合には、サーバ１１が名前受付部６としての役割を果たしてもよい。
【００５５】
分類コードは、必ずしも寺院・教会の分類を示すものである必要はなく、例えば、寄進者の職業や地位等、寄進者の分類を示すものであればいかなるものであってもよい。瓦記名システムは、寺院以外に神社に用いられる瓦９に記名を行うものであってもよい。すなわち、瓦記名システムでは、社寺に用いられる瓦に記名を行う用途に利用される。
【図面の簡単な説明】
【００５６】
【図１】通信網に接続されたサーバおよびクライアントを示す図である。
【図２】瓦記名システムの構成を示す図である。
【図３】瓦に記名を行う処理の流れを示す図である。
【図４】瓦に印刷を行う動作の流れを示す図である。
【図５】ヘッド部を移動しつつインクを吐出する様子を説明するための図である。
【図６】瓦記名システムの他の例を示す図である。
【図７】印刷装置の他の例を示す図である。
【符号の説明】
【００５７】
１，１ａ    瓦記名システム
６    名前受付部
８    通信網
９    瓦
１２，１２ａ    印刷装置
５２    撮像部
６１    名前データ
７１    版下データ生成部
８１    クライアント
１１０    瓦画像データ
１１１    固定ディスク
１１２    画像送出部
１１３    通信部
７１１    版下データ
【図１】
2005145026.tif 000003
【図２】
2005145026.tif 000004
【図３】
2005145026.tif 000005
【図４】
2005145026.tif 000006
【図５】
2005145026.tif 000007
【図６】
2005145026.tif 000008
【図７】
2005145026.tif 000009